(57)【要約】【課題】融雪装置を設置する際に、莫大な費用を投じることなく、かつ、メンテナンスが容易な融雪装置とし、豪雪地帯において、雪により生活に必要不可欠な通路が閉ざされて、住民が孤立するのを回避する。【解決手段】本考案の融雪装置は、線状のヒータが平面上に並べられた加熱手段２と、前記加熱手段を制御するコントローラ４と、前記加熱手段を載置する基盤と、前記加熱手段２を覆うように設けられた金属製の板状部材１とを有する。【選択図】図１
0003124857.tif 000002
【実用新案登録請求の範囲】
【請求項１】
線状のヒータが平面状に並べられた加熱手段と、
前記加熱手段を制御するコントローラと、
前記加熱手段を載置する基盤と、
前記加熱手段を覆うように設けられた金属製の板状部材とを有する
融雪装置。
【請求項２】
前記加熱手段が、ホットカーペットである請求項１記載の融雪装置。
【考案の詳細な説明】
【技術分野】
【０００１】
本考案は、融雪装置に関する。さらに詳しくは、線状のヒータが平面上に並べられた加熱手段と、前記加熱手段を制御するコントローラと、前記加熱手段を載置する基盤と、前記加熱手段を覆うように設けられた金属製の板状部材とを有し、前記金属製の板状部材に覆われた前記加熱手段を路面に敷き詰めて、降雪する雪を融かす融雪装置に関する。
【背景技術】
【０００２】
従来より、豪雪地帯では、路上に積雪する雪を排除するために、融雪装置が使用されている。
【０００３】
たとえば、特許文献１には、コンクリート製のブロック体に形成された溝の底部に温水管を配置し、さらに前記溝にブロック体を組み込んで融雪路面を構成し、温水管に温水を流すことにより融雪する技術が開示されている。
【０００４】
【特許文献１】実公平６−４７９２７号公報
【考案の開示】
【考案が解決しようとする課題】
【０００５】
しかしながら、上述した従来の技術では、設置の際に、莫大に費用がかかり、加えて、メンテナンスに手間を要するという問題があった。
【０００６】
本考案は、上記従来の問題を鑑みてなされたもので、設置の際に莫大な費用を投じることなく、かつ、メンテナンスが容易で、豪雪地帯において、雪により生活に必要不可欠な通路が閉ざされて、住民が孤立するのを回避することができる融雪装置を提供することを目的としている。
【課題を解決するための手段】
【０００７】
本考案の融雪装置は、線状のヒータが平面状に並べられた加熱手段と、前記加熱手段を制御するコントローラと、前記加熱手段を載置する基盤と、前記加熱手段を覆うように設けられた金属製の板状部材とを有することを特徴としている。
【０００８】
また、前記加熱手段が、ホットカーペットであることが好ましい。
【考案の効果】
【０００９】
本考案によれば、線状のヒータが平面上に並べられた加熱手段と、前記加熱手段を制御するコントローラと、前記加熱手段を載置する基盤と、前記加熱手段を覆うように設けられた金属製の板状部材とを有することにより、設置の際に莫大な費用を投じることなく、かつ、メンテナンスが容易な融雪装置とすることができ、豪雪地帯において、雪により生活に必要不可欠な通路が閉ざされて、住民が孤立するのを回避することができる。さらに、冬期に閉ざされている区間（たとえば、立山アルペンルートなど）に本考案の融雪装置を設置することにより、一年中通行可能とすることができる。
【考案を実施するための最良の形態】
【００１０】
本考案の融雪装置は、線状のヒータが平面状に並べられた加熱手段と、加熱手段を制御するコントローラと、加熱手段を載置する基盤と、加熱手段を覆うように設けられた金属製の板状部材とを有する。
【００１１】
以下で、添付図面を参照して、本考案の融雪装置を詳細に説明する。
【００１２】
図１は、本考案の融雪装置の使用状態を説明するための図、図２は、本考案の融雪装置におけるパネルの構造を説明するための斜視図、図３は、本考案の融雪装置におけるパネルの構造を説明するための断面図である。
【００１３】
実施の形態１
本実施の形態の融雪装置は、図１〜図３に示されるように、金属製の板状部材（以下、金属板１とする）と、加熱手段２と、加熱手段２を収容するための基盤３と、加熱手段２のオン・オフあるいは発熱温度を制御するコントローラ４と、金属板１と基盤３とを路面に固定するためのネジ５とから構成されている。
【００１４】
図１に示されるように、融雪装置は、金属板１と加熱手段２と基盤３とから構成されたパネル１００を融雪したい路面（たとえば、民家の玄関先から公道までのアプローチなど、生活に必要不可欠な通路）に複数敷き詰めて使用される。隣接した各々のパネル１００は、加熱手段２に取り付けられたプラグ２２により接続されている。また、コントローラ４は、路面に敷き詰められた加熱手段２のうち、縁辺の加熱手段２のプラグ２２を家屋の中まで延長してコントローラ４と接続されることにより家屋内に設置され、所望に応じてユーザがコントローラ４を操作することにより、融雪装置のオン・オフあるいは発熱温度を制御する。
【００１５】
金属板１は、図２に示されるように、四隅にネジ５を貫通させるための孔１ａが形成されている。また、金属板１の表面には、スリップ防止のための凹凸が、平行な直線状に形成されている。この凹凸の形状は、平行な直線状に限らず、十字状の凹凸などを呈していてもよい。金属板１の側縁には、金属板１の面に対して垂直に突出した形状であって、基盤３の表面と当接する側部１１が形成されている。
【００１６】
金属板１は、ステンレス、鉄、アルミ合金などの熱伝導率が高く、硬質で延性、展性に富んだ材質を用いることが好ましい。
【００１７】
加熱手段２としては、図２に示されるように、ニクロム線などの線状のヒータ２１を平面上に並べて配置した、暖房用のホットカーペットを用いることが好ましい。線状ヒータ２１の配置間隔ｘとしては、８ｃｍ以上であることが好ましく、１０ｃｍ以上であることがより好ましい。線状ヒータ２１の配置間隔ｘが、８ｃｍ未満であると、必要以上に発熱し、不経済になる傾向がある。なお、北海道などの冬季に−２０℃を下回る気温になる地域では、線状ヒータ２１の配置間隔ｘを６ｃｍまたは４ｃｍにする。また、加熱手段２には、ヒータ２１と隣接する加熱手段２またはコントローラ４とを接続するためのプラグ２２が設けられている。
【００１８】
基盤３は、図２および図３に示されるように、板状を呈しており、中央には加熱手段２を載置して収容するための凹んだ空間、加熱手段収容空間３２が形成されている。さらに、加熱手段収容空間３２の底面には、断熱材料が張り付けられている。断熱材料を張り付けることにより、加熱手段２が発する熱を無駄なく金属板１に伝達する。また、基盤３の四隅には、縁３１にネジ５を貫通させるための孔３ａと、加熱手段２のプラグ２２を嵌め込むための各側縁に垂直なプラグ嵌入溝３ｂ、３ｃが形成されている。このプラグ嵌入溝３ｂ、３ｃを、基盤３の四隅に形成することにより、加熱手段２に設けられるプラグ２２の位置に関係なく基盤３を配置することができる。すなわち、加熱手段２を平面に平行な方向に回転させることにより、あるいは、加熱手段２を裏返すことにより、加熱手段２のプラグ２２の位置を所望の位置に配置させることができる。設置時にプラグが嵌入されていないプラグ嵌入溝には、ゴム製の防水栓を嵌めておく。また、基盤３の側縁には、融雪装置１００のパネルを取り外し易くするための取り外し溝３１ａが複数形成されている。
【００１９】
コントローラ４としては、とくに限定されないが、ケース内にＰＣ基盤等の制御部品が収納されているもので、この制御部品により加熱手段２のヒータ２１の通電が制御できるものを用いることができる。このコントローラ４の制御により、加熱手段２のオン・オフあるいは加熱手段２の上面の温度調整を行う。
【００２０】
ネジ５は、図２および図３に示されるように、金属板１の四隅に形成された孔１ａと基盤３の四隅に形成された孔３ａを貫通し、アスファエルトが柔らかい段階でアスファルト内に雌螺子５１に螺合した融雪装置のパネル１００を路面に固定する。パネル１００のメンテナンスの際には、ネジ５を取り外した後、金属板１を外して基盤３に載置された加熱手段２を交換するだけでよい。
【００２１】
以上の実施の形態によれば、線状のヒータ２１が平面上に並べられた加熱手段２と、加熱手段２を制御するコントローラ４と、加熱手段２を載置する基盤３と、加熱手段２を覆うように設けられた金属板１とを有し、金属板１と、加熱手段２と、基盤３とから構成されたパネル１００を路面に複数敷き詰めて、降雪する雪を融かす。このことにより、融雪装置を設置する際に莫大な費用を投じることなく、かつ、メンテナンスを容易に行うことができ、豪雪地帯において、雪により生活に必要不可欠な通路が閉ざされて、住民が孤立するのを回避することができる。さらに、冬期に閉ざされている区間（たとえば、立山アルペンルートなど）に本考案の融雪装置を設置することにより、一年中通行可能とすることができる。
【００２２】
なお、上記実施の形態では、融雪装置を建築物の玄関先から公道までの間の通路に敷き詰めた場合について説明したが、本考案はこれに限らず、融雪装置を一般の道路や、豪雪地帯の山道などに敷き詰めて使用してもよい。
【００２３】
また、上記実施の形態では、融雪装置におけるパネル１００が長方形状である場合について説明したが、本考案はこれに限らず、融雪装置におけるパネル１００の形状は、三角形、正方形、多角形や扇形を呈していてもよい。
【００２４】
また、上記実施の形態では、ユーザがコントローラ４を操作することにより融雪装置を制御する場合について説明したが、本考案はこれに限らず、融雪装置を温度センサや圧力センサなどを用いて自動的に制御してもよい。
【００２５】
また、上記実施の形態では、パネルの四隅にネジ５を設ける場合について説明したが、本考案はこれに限らず、パネルの大きさに応じてネジの本数を増やしてもよい。
【００２６】
また、上記実施の形態では、アスファルトが柔らかい段階で雌ネジを既設してパネルを固定する場合について説明したが、本考案はこれに限らず、アスファルトにドリル等を用いて孔を形成して、パネルを固定する形態であってもよい。
【図面の簡単な説明】
【００２７】
【図１】本考案の融雪装置の使用状態を説明するための図である。
【図２】本考案の融雪装置におけるパネルの構造を説明するための斜視図である。
【図３】本考案の融雪装置におけるパネルの構造を説明するための断面図である。
【符号の説明】
【００２８】
１  金属板（金属製の板状部材）
２  加熱手段
２１  ヒータ
３  基盤
４  コントローラ
１００  パネル
【図１】
0003124857.tif 000003
【図２】
0003124857.tif 000004
【図３】
0003124857.tif 000005